(57)【要約】      （修正有）【課題】レコード再生時に使用され、ノイズ発生を解消するために使用される液流調整体及び液体移動防止バリア体を提供する。【解決手段】レコード針１２の近傍に取り付けられた液流調整体４０により、レコードディスク面２０ａに水３０が流された状態の時に、回転しているレコードディスク面２０ａの少なくともレコード針接触位置及びその周りが、レコードディスク面２０ａと液流調整体４０表面との間に働く水の表面張力により、該水３０で満たされている状態にでき、それにより、回転しているレコードディスク面２０ａの少なくともレコード針接触位置及びその周りが、安定的に水３０で満たされている状態になり、レコード針１２が水没されながらレコードディスクの再生が行われることになり、音溝に付着していた筈のゴミ６０がレコード針１２と接触せず、ノイズの発生が略完全と言っていいほどなくなる。【選択図】図１０
0003208515.tif 000002
【実用新案登録請求の範囲】
【請求項１】
回転しているレコードディスク面の少なくともレコード針接触位置及びその周りが、液体で満たされ、該レコード針が液没されながらレコードディスクの再生が行われる際に用いられるものであって、再生中にその対面が略レコードディスク面に平行になるように、レコード針の近傍に据え付けられ、レコードディスク面に液体が流された状態の時に、回転しているレコードディスク面の少なくともレコード針接触位置及びその周りが、液体の表面張力により該液体で満たされている状態にすることを特徴とする液流調整体。
【請求項２】
回転しているレコードディスク面の少なくともレコード針接触位置及びその周りが、液体で満たされ、該レコード針が液没されながらレコードディスクの再生が行われる際に用いられるものであって、ターンテーブル側の、レコードディスク最外側周縁部に接触する部分の外周部に、設けられ、レコードディスク周りへの液体の飛散を防ぐことを特徴とする液体移動防止バリア体。
【考案の詳細な説明】
【技術分野】
【０００１】
本考案は、アナログレコードディスク等の再生の際に、適用されるレコード再生の実施に使用される液流調整体及び液体移動防止バリア体に関する。
【背景技術】
【０００２】
アナログレコードディスクの再生の際又は再生時以外に、下記の特許文献１〜５に示されるようなレコードディスク面の塵埃（以下ホコリと言う）を除去することが、従来技術として検索される。
【０００３】
即ち、特許文献１では、レコードディスク面のホコリを除去しながらレコードを再生することが開示されている。刷毛とロールクリーナでホコリを取り除くと共に、銅線ブラシで静電気除去することが示されている。
【０００４】
特許文献２では、ヘッドシェルに取り付けた刷毛によりレコードディスク面の清掃を行うことが開示されている。
【０００５】
特許文献３でも、ヘッドシェルに取り付けた刷毛によりレコードディスク面の清掃を行うことが開示されている。
【０００６】
特許文献４では、ヘッドシェルに取り付けた刷毛によるか、又は、ヘッドシェルに吸い込み口を設けた小型の電気掃除機のいずれかでレコードディスク面の清掃を行うことが開示されている。
【０００７】
特許文献５では、散水とブラシによるレコードディスクのクリーナの構成が、ターンテーブルのレコード針を含む再生構成とは別に設けられていることが示されている。
【特許文献１】実開昭６１−１３０００５
【特許文献２】実開昭６０−８２７０３
【特許文献３】実開昭５８−１２７４０７
【特許文献４】実開昭５８−１５９６１７
【特許文献５】実公平１−１４９７２
【考案の開示】
【考案が解決しようとする課題】
【０００８】
上記構成は、何れも、レコードディスク面に着いたゴミを、刷毛、ロールクリーナ、電気掃除機或いは銅線ブラシを使った静電気除去等により、再生中乃至再生時とは別に、取り除く構成である。しかし、思ったほど、綺麗にゴミが取り除かれておらず、再生する際に、必ず、ノイズが発生している。又、特許文献５は、散水とブラシにより、レコードディスク面を清掃するクリーナの構成であるが、これらの構成で一旦清掃が行われた後再生を行うと、たとえゴミが残らなくても、乾いた後に水自身が残渣としてレコードディスク面(音溝及び凸部)に残ってしまう（例えばコピー機のガラス面を水拭きした後、そのガラス面に乾いた状態で残る水の残渣と同じ）ため、それが却って再生時のノイズの原因になっていた。
【０００９】
本考案は、斯かる実情に鑑み創案されたものであって、このようなノイズを発生させないレコード再生時に使用される液流調整体と、液体移動防止バリア体を提供せんとするものである。
【課題を解決するための手段】
【００１０】
回転しているレコードディスク面の少なくともレコード針接触位置及びその周りが、液体で満たされ、該レコード針が液没されながらレコードディスクの再生が行われることが、本考案に係るレコード再生用液流調整体の構成の基本的な前提となる。
【００１１】
一般的に、レコードディスク面（の音溝）に、レコード針が接触すると、そこで静電気が発生し、図１２に示すように、レコードディスク面２０ａの音溝２２にゴミ６０が付着する原因になるといわれている。そして、図１３に示すように、そのまま、レコード針１２がそのゴミ６０と接触することが、ノイズ発生の原因だとされる。
【００１２】
ところが、図７に示すように、レコードディスク面２０ａの音溝２２にゴミ６０が（発生した静電気により）付着しているような場合でも、本考案の上記前提構成により、回転しているレコードディスク面２０ａの少なくともレコード針接触位置及びその周りが、液体で満たされることで、液体が音溝２２の内に入り込み、上記静電気の影響を無くすため（液体が水の場合は全くその通りになる）、ゴミ６０は、その音溝２２から液体上に浮き上がり易くなる。
【００１３】
しかも、レコード針１２がその音溝２２内を進もうとすると、図８に示すように、その進行方向に、液体が、レコード針１２により通常の液面高さより少し高く浮き上げられることになる。従って音溝２２から浮き上がり易くなったゴミ６０は、その音溝２２から、進行方向前方に、浮き上がることになる。場合により、図９に示すように、ターンテーブル１０の回転による遠心力で、ゴミ６０が液体と共に外周側に飛び出ることもあり得る（これは後に説明する２つ目の考案及び実施例２と関係しており、液体が上記遠心力で外側に移動することによる）。
【００１４】
以上のような前提構成により、ゴミ付着のメカニズムから解放され、レコード針１２は、音溝２２内で、ゴミ６０に接触することがなくなり、ノイズは、略完全と言っていいほど解消される（固着した異物やレコード面に傷が付いている場合は別）という効果が得られることになる。
【００１５】
この点、上記特許文献５に示された構成では、水は、レコードディスクをクリーニングする時に使用され、再生時には全て回収されて、レコード針は水には接触しない（本文献の第１頁〜第３頁及び図１〜図５参照）ので、以上説明した前提構成（のような再生の最中にレコード針が液没する構成）とは全く異なる構成である。以上の前提構成は、ゴミを取り去るのではなく、あくまで再生中に、ゴミを液体の上に浮かせ、レコード針がゴミと接触するのを避けるところに重点がある。
【００１６】
尚、上記液体とは、レコードディスク面やレコード針を侵食・腐食しない限り、どのようなものも用いることができる。好ましくは、水、その中でも、純水が良いが、水道水乃至それをフィルタで濾したものでも構わない。
【００１７】
以上のような前提構成を基に、本考案の１つ目の構成につき説明する。すなわち、本考案の１つ目の構成は、上記のレコード再生を実施する際に用いられるものであって、後述する図１０に示すように、再生中にその対面が略レコードディスク面２０ａに平行になるように、レコード針１２の近傍に液流調整体４０（液流調整体４０自身は、レコード針のカートリッジ本体の下面の面積を増やして液流調整作用を持たせるような構成も含む）が据え付けられ、レコードディスク面２０ａに液体が流された状態の時に、回転しているレコードディスク面２０ａの少なくともレコード針接触位置及びその周りが、レコードディスク面２０ａと液流調整体４０表面との間に働く液体の表面張力により、該液体で満たされている状態にすることを基本的特徴としている。
【００１８】
このような構成により、回転しているレコードディスク面２０ａの少なくともレコード針接触位置及びその周りが、安定的に液体で満たされている状態になる。
【００１９】
本考案の２つ目の構成は、同じく上記のレコード再生を実施する際に用いられるものであって、後述する図１１に示すように、ターンテーブル１０側の、レコードディスク２０最外側周縁部に接触する部分の外周部に、液体移動防止バリア体５０が設けられており、レコードディスク２０周りへの液体の飛散を防ぐようにしている。
【００２０】
ターンテーブル１０は常にレコードディスク２０を一定方向に安定した回転数で回っており、レコードディスク２０をターンテーブル１０の上に乗せ、さらに、レコードディスク面２０ａのレコード針接触位置及びその周りに、液体が載っていれば、該液体に遠心力が働き、レコードディスク２０周りへ液体が飛散してしまう虞があるが、このような構成（液体移動防止バリア体５０）が設けられていることにより、レコードディスク２０周りへの液体の飛散を防げ、回転しているレコードディスク面２０ａの少なくともレコード針接触位置及びその周りが、安定的に液体で満たされている状態にすることができる。
【考案の効果】
【００２１】
まず、上記前提構成により、レコードディスク面の音溝にゴミが付着しているような場合でも、回転しているレコードディスク面の少なくともレコード針接触位置及びその周りが、液体で満たされており、上述したメカニズムにより、音溝からゴミがその液体表面側に浮き上がるため、該レコード針が液没されながらレコードディスクの再生が行われる際に、音溝に付着していた筈のゴミがレコード針と接触せず、ノイズの発生が略完全と言っていいほど解消される。
【００２２】
そこで、本考案の１つ目のレコード再生用液流調整体の構成が用いられることにより、レコード針の近傍に据え付けられた液流調整体により、レコードディスク面に液体が流された時に、回転しているレコードディスク面の少なくともレコード針接触位置及びその周りが、レコードディスク面と液流調整体表面との間に働く液体の表面張力により、該液体で満たされている状態にでき、それによって、回転しているレコードディスク面の少なくともレコード針接触位置及びその周りが、安定的に液体で満たされている状態になり、レコードディスクの再生が行われる際に、音溝に付着していた筈のゴミがレコード針と接触せず、ノイズの発生が略完全と言っていいほど解消される上記効果が安定的に得られることになると言う優れた効果を奏することになる。
【００２３】
また、本考案の２つ目に係る液体移動防止バリア体の構成によれば、ターンテーブル側の、レコードディスク最外側周縁部に接触する部分の外周部に、液体移動防止バリア体が設けられており、レコードディスク周りへの液体の飛散を防ぐため、回転しているレコードディスク面の少なくともレコード針接触位置及びその周りが、安定的に液体で満たされている状態にすることができ、レコードディスクの再生が行われる際に、音溝に付着していた筈のゴミがレコード針と接触せず、ノイズの発生が略完全と言っていいほど解消される上記効果がより一層顕著に得られるようになる。
【考案を実施するための最良の形態】
【００２４】
以下、本考案の実施の形態を図示例と共に説明する。
【００２５】
図１〜図６は、本考案構成の前提となる参考例を示すレコード再生の実施の仕方を説明する説明図である。
図１に示すように、まず、再生したいレコードディスク２０をターンテーブル１０上に置く。またそのレコードディスク面２０ａを水３０で満たすために、スポイトを用意し、内部に適当量の水３０を入れておく。できれば純水が良いが、水道水乃至それをフィルタで濾したものでも構わない。
【００２６】
次に、図２に示すように、再生しようとするターンテーブル１０上のレコードディスク面２０ａを、不織布で綺麗に拭き取る。
【００２７】
それから、図３に示すように、上記スポイトを使用して、レコードディスク面２０ａ（再生面）に水３０を張る。
【００２８】
図４は、レコードディスク面２０ａ（再生面）に水３０が張られた状態を示している。レコードディスク面２０ａ全面が水３０で張られると、ターンテーブル１０が水浸しになるので、このように、水浸しにならないように、適度に水３０を張れば十分である。
【００２９】
再生を始める前に、ターンテーブル１０の回転をスタートすると、図５に示すように、その回転により、レコードディスク面２０ａ上に、水３０が軽く縞模様を描くように、その面上で、適度に分散する。
【００３０】
そのようなターンテーブル１０が定速速度になり且つ水３０が適度に分散した状態になってから、図６に示すように、レコード針１２をレコードディスク面２０ａ（再生面）上に置いて、再生を開始する。
【００３１】
図７は、上記図６のレコード針１２がレコードディスク面２０ａ（再生面）上に置かれた状態の部分を拡大した状態を示している。レコード針１２が取り付けられているヘッド部分１４近くが既に水没しているのが分かる。
【００３２】
さらに、図８は、上記前提構成の内容の説明図である。同図に示すように、回転しているレコードディスク面２０ａの少なくともレコード針接触位置及びその周りが、水３０で満たされ、該レコード針１２が水没されながらレコードディスク２０の再生が行われることになる。
【００３３】
このような前提構成によれば、図８に示すように、レコードディスク面２０ａの音溝２２にゴミ６０が付着しているような場合でも、回転しているレコードディスク面２０ａの少なくともレコード針接触位置及びその周りが、水３０で満たされており、音溝２２とゴミ６０をくっつけていた静電気からその部分が解放されて、音溝２２とゴミ６０とが離れ易くなると共に、レコード針１２がその音溝２２内を進もうとすると、同図に示すように、その進行方向に、水３０が、レコード針１２により通常の水面高さより少し高く浮き上げられることになるので、音溝２２から浮き上がり易くなったゴミ６０は、その音溝２２から、進行方向前方に、浮き上がることになり、従って、該レコード針１２が水没されながらレコードディスク２０の再生が行われる際に、音溝２２に付着していた筈のゴミ６０がレコード針１２と接触せず、ノイズの発生が略完全と言っていいほどなくなる。
【００３４】
場合により、ターンテーブル１０が回転して生ずる遠心力により、水３０が外側に移動し（後述する実施例２参照）、それにより、図９に示すように、ゴミ６０が水３０の移動と共に外周側に飛び出ることもあり得る。
【００３５】
放送局等で、古いレコードディスク２０しかない曲（乃至レコードアルバム）を再生しようとする場合は、昔ながらのように、レコードディスク面２０ａを綺麗にクリーニングし、再生を行っていたが、完全に取り去ることは不可能と言われていた（上記従来技術を実施した場合も同じである）。そのため、放送局では、アナログのレコードディスク２０の再生は、御法度扱いになっていたが、このような参考例の構成では、以上のような理屈であるので、略完全と言っていいほどノイズの発生の無い再生が可能になる。
【実施例１】
【００３６】
図１０は、第１の考案に係る構成を示しており、上記参考例のレコード再生を実施する際に用いられる液流調整体４０が、レコード針１２のセットされたヘッド部分１４に、据え付けられた状態が示されている。
【００３７】
この液流調整体４０は、板状であって、再生中にその対面が略レコードディスク面２０ａに平行になるように、レコード針１２の近傍に取り付けられており、レコードディスク面２０ａに水３０が流された状態の時に、回転しているレコードディスク面２０ａの少なくともレコード針接触位置及びその周りが、レコードディスク面２０ａと液流調整体４０の板状表面との間に働く水の表面張力により、この水３０で満たされている状態にすることになる。
【００３８】
このように、レコード針１２の近傍に取り付けられた液流調整体４０により、レコードディスク面２０ａに水３０が流された状態の時に、回転しているレコードディスク面２０ａの少なくともレコード針接触位置及びその周りが、レコードディスク面２０ａと液流調整体４０表面との間に働く水の表面張力により、該水３０で満たされている状態にできるので、それによって、回転しているレコードディスク面２０ａの少なくともレコード針接触位置及びその周りが、安定的に水３０で満たされている状態になり、参考例のようなレコード針１２が水没されながらレコードディスク２０の再生が行われる際に、音溝２２に付着していた筈のゴミ６０がレコード針１２と接触せず、ノイズの発生が略完全と言っていいほどなくなると言う効果が安定的に得られることになる。
【００３９】
このように、本考案の構成によれば、少なくとも、レコード針接触位置及びその周りさえ、水３０で覆われていれば、音溝２２とゴミ６０をくっつけていた静電気からその部分が解放されて、音溝２２とゴミ６０とが離れ易くなると共に、レコード針１２がその音溝２２内を進もうとすると、その進行方向に、水３０が、レコード針１２により通常の水面高さより少し高く浮き上げられることになり、その結果、音溝２２から浮き上がり易くなったゴミ６０は、その音溝２２から、主に進行方向後方に、浮き上がることになり、従って、該レコード針１２が水没されながらレコードディスク２０の再生が行われる際に、音溝２２に付着していた筈のゴミ６０がレコード針１２と接触せず、ノイズの発生が全くなくなる効果が遺憾なく発揮されるようになる。
【実施例２】
【００４０】
図１１は、第２の考案に係る構成を示しており、上記のようなレコード再生を実施する際に用いられる液体移動防止バリア体５０が、ターンテーブル１０側の、レコードディスク２０最外側周縁部に接触する部分の外周部全周に一体的に取り付けられた状態が示されている。
【００４１】
この液体移動防止バリア体５０は、同図断面図に示すように、ターンテーブル１０の一構成要素となっているゴム製のクッション板の外縁部に設けられており、断面は、鎌状（外側が円弧を描き、内側が切り立っている状態）に形成されている。このような液体移動防止バリア体５０の構成によって、レコードディスク２０周りへの水３０の飛散が無くなるようにしている。
【００４２】
ターンテーブル１０は常にレコードディスク２０を一定方向に安定した回転数で回っており、レコードディスク２０をターンテーブル１０の上に乗せ、さらに、レコードディスク面２０ａのレコード針接触位置及びその周りに、水３０が載っていれば、この水３０に遠心力が作用し、レコードディスク２０周りへ水３０が飛散してしまう虞があるが、このような液体移動防止バリア体５０がその外周部に設けられていることにより、レコードディスク２０周りへの水３０の飛散を防ぐことができ、回転しているレコードディスク面２０ａの少なくともレコード針接触位置及びその周りが、安定的に水３０で満たされている状態にすることが可能となる。
【００４３】
尚、レコード再生用に使用される本考案に係る液流調整体４０及び液体移動防止バリア体５０は、上述の図示例にのみ限定されるものではなく、本考案の要旨を逸脱しない範囲内において種々変更を加え得ることは勿論である。
【産業上の利用可能性】
【００４４】
本考案のレコード再生用液流調整体及び液体移動防止バリア体は、所謂アナログレコードの再生する時に使用することが適しており、特に、放送局が古いアナログレコードを再生して放送に用いたり、ホテルや各種娯楽施設などでＢＧＭとして古いアナログレコードを再生する場合など、古いレコードなどの良い音の再現が必要な場合に、適用することが可能である。
【図面の簡単な説明】
【００４５】
【図１】前提となる参考例構成で、レコードディスク２０をターンテーブル１０上に置いた状態を示す説明図である。
【図２】本参考例において、再生しようとするレコードディスク面２０ａを不織布で綺麗に拭き取る状態を示す説明図である。
【図３】スポイトを使用して、レコードディスク面２０ａに水３０を張った状態を示す説明図である。
【図４】レコードディスク面２０ａに水３０が張られた状態を示す説明図である。
【図５】ターンテーブル１０の回転により、レコードディスク面２０ａ上に、水３０が軽く縞模様を描くように、その面上で、適度に分散された状態を示す説明図である。
【図６】水３０が適度に分散した状態になってから、レコード針１２をレコードディスク面２０ａ上に置いて、再生を開始した状態を示す説明図である。
【図７】図６のレコード針１２がレコードディスク面２０ａ上に置かれた状態の部分を拡大した状態を示す拡大図である。
【図８】本参考例が実施された状態の内容を示す説明図である。
【図９】ターンテーブル１０が回転して生ずる遠心力により、水３０が外側に移動し、それにより、ゴミ６０が水３０の移動と共に外周側に飛び出る状態を示す説明図である。
【図１０】第１の考案に係る液流調整体の実施例構成を示す説明図である。
【図１１】第２の考案に係る液体移動防止バリア体の実施例構成を示す説明図である。
【図１２】レコードディスク面の音溝に、レコード針が接触すると、そこで静電気が発生し、レコードディスク面２０ａの音溝２２にゴミ６０が付着するというゴミ付着メカニズムを示す説明図である。
【図１３】そのまま、レコード針１２がそのゴミ６０と接触すると、ノイズが発生するというゴミ付着メカニズムを示す説明図である。
【符号の説明】
【００４６】
１０      ターンテーブル
１２      レコード針
１４      ヘッド部分
２０      レコードディスク
２０ａ    レコードディスク面
２２      音溝
３０      水
４０      液流調整体
５０      液体移動防止バリア体
６０      ゴミ
【図１】
0003208515.tif 000003
【図２】
0003208515.tif 000004
【図３】
0003208515.tif 000005
【図４】
0003208515.tif 000006
【図５】
0003208515.tif 000007
【図６】
0003208515.tif 000008
【図７】
0003208515.tif 000009
【図８】
0003208515.tif 000010
【図９】
0003208515.tif 000011
【図１０】
0003208515.tif 000012
【図１１】
0003208515.tif 000013
【図１２】
0003208515.tif 000014
【図１３】
0003208515.tif 000015
【手続補正書】
【提出日】平成28年11月16日(2016.11.16)
【手続補正１】
【補正対象書類名】実用新案登録請求の範囲
【補正対象項目名】全文
【補正方法】変更
【補正の内容】
【実用新案登録請求の範囲】
【請求項１】
回転しているレコードディスク面の少なくともレコード針接触位置及びその周りが、液体で満たされ、該レコード針が液没されながらレコードディスクの再生が行われる際に用いられるものであって、再生中にその対面が略レコードディスク面に平行になるように、レコード針の近傍に据え付けられる板状の構成のものであり、レコードディスク面に液体が流された状態の時に、回転しているレコードディスク面の少なくともレコード針接触位置及びその周りが、液体の表面張力により該液体で満たされている状態にすることを特徴とする液流調整体。
【請求項２】
回転しているレコードディスク面の少なくともレコード針接触位置及びその周りが、液体で満たされ、該レコード針が液没されながらレコードディスクの再生が行われる際に用いられるものであって、ターンテーブル側の、レコードディスク最外側周縁部に接触する部分の外周部に、断面の外側が円弧を描き、内側が切り立っている形状に形成されて設けられ、レコードディスク周りへの液体の飛散を防ぐことを特徴とする液体移動防止バリア体。
【手続補正２】
【補正対象書類名】明細書
【補正対象項目名】００１７
【補正方法】変更
【補正の内容】
【００１７】
以上のような前提構成を基に、本考案の１つ目の構成につき説明する。すなわち、本考案の１つ目の構成は、上記のレコード再生を実施する際に用いられるものであって、後述する図１０に示すように、再生中にその対面が略レコードディスク面２０ａに平行になるように、レコード針１２の近傍に液流調整体４０（液流調整体４０自身は、レコード針のカートリッジ本体の下面の面積を増やして液流調整作用を持たせるような構成も含む）が据え付けられる板状の構成のものであり、レコードディスク面２０ａに液体が流された状態の時に、回転しているレコードディスク面２０ａの少なくともレコード針接触位置及びその周りが、レコードディスク面２０ａと液流調整体４０表面との間に働く液体の表面張力により、該液体で満たされている状態にすることを基本的特徴としている。
【手続補正３】
【補正対象書類名】明細書
【補正対象項目名】００１９
【補正方法】変更
【補正の内容】
【００１９】
本考案の２つ目の構成は、同じく上記のレコード再生を実施する際に用いられるものであって、後述する図１１に示すように、ターンテーブル１０側の、レコードディスク２０最外側周縁部に接触する部分の外周部に、断面の外側が円弧を描き、内側が切り立っている形状に形成されて設けられた液体移動防止バリア体５０であり、レコードディスク２０周りへの液体の飛散を防ぐようにしている。